(57)【要約】      （修正有）【課題】使途別の収納先を各遊技店における運用形態に応じて可変設定できるようにすること。【解決手段】処理すべき紙幣を一括で受け入れる紙幣受入部１と、該紙幣受入部に受け入れた紙幣を１枚ずつ繰り出して搬送する繰出搬送部３と、該繰出搬送部の下流側に位置し、該繰出搬送部によって搬送される紙幣の金種を識別する金種識別部４と、使途別の金額情報及び該使途別の収納先を入力及び記憶可能な金額情報入力部２と、前記金種識別部の下流側に位置し、搬送される紙幣を使途別に仕分ける仕分部５とを備えるものであり、  前記収納先は、結束された紙幣を収納する束収納部７、バラの紙幣の収納／取り出しが可能なバラ紙幣収納部８及び、その中にバラの紙幣が収納されるとともに該紙幣の取出し及び運搬はカセットごと行われる紙幣カセット９とからなる３種類の収納部で構成し、入力された仕分け支持に基づき収納する。【選択図】図２
2005056056.tif 000002
【特許請求の範囲】
【請求項１】
遊技店の店舗内に設置される売上金入金処理装置であって、
該装置は、
処理すべき紙幣を一括で受け入れる紙幣受入部と、
該紙幣受入部に受け入れた紙幣を１枚ずつ繰り出して搬送する繰出搬送部と、
該繰出搬送部の下流側に位置し、該繰出搬送部によって搬送される紙幣の金種を識別する金種識別部と、
使途別の金額情報及び該使途別の収納先を入力及び記憶可能な金額情報入力部と、
前記金種識別部の下流側に位置し、搬送される紙幣を使途別に仕分ける仕分部と、
を備えるものであり、
前記収納先は、結束された紙幣を収納する束収納部、バラの紙幣の収納／取り出しが可能なバラ紙幣収納部及び、その中にバラの紙幣が収納されるとともに該紙幣の取出し及び運搬はカセットごと行われる紙幣カセットとからなる３種類の収納部で構成されるとともに、
前記紙幣受入部に受け入れた紙幣を、前記金額情報入力部にて入力された前記使途別の金額情報に基づいて仕分け、予め使途別に割り当てられた各収納先に収納するように制御する制御部をさらに備えたことを特徴とする売上金入金処理装置。
【請求項２】
入力された操作者のＩＤから操作者の属性を判別するＩＤ認識部をさらに備え、該操作者の属性に応じて、前記各収納部からの紙幣の取出操作の可否が決められている請求項１に記載の売上金入金処理装置。
【発明の詳細な説明】
【技術分野】
【０００１】
本発明はパチンコ店等の遊技店の店舗内に設置される紙幣の売上金入金処理装置に関するもので、特に使途別の紙幣の収納先を遊技店の運用形態に応じて可変可能とした売上金入金処理装置に関する。
【背景技術】
【０００２】
本出願の出願人は、パチンコ店等の遊技店での現金の運用に適合した機能を持たせた売上金入金処理装置を、先の出願（特許文献１参照。）において開示した。
前記売上金入金処理装置は、使途別の収納先が固定化されている。すなわち、粗利益については紙幣カセットに収納し、特殊景品交換代金についてはバラ収納部に収納し、両替準備金（店内準備金）については束収納部に収納するようにしている。
上記のような構成としたのは、遊技店で発生する粗利益についての銀行への入金を警備会社に委託して行うであろうとの予測に基づいたためであり、そのためには、警備会社の係員が現金に直接手を触れることができないようにする必要があったからである。
【０００３】
しかしながら、警備会社に委託することなく自己の管理の下に粗利益を銀行入金する遊技店も一部には存在することが分かり、そうであれば、必ずしも粗利益を紙幣カセットに収納する必要もなくなる（例えば、バラ収納部に収納してもよい）。
また、特殊景品交換代金について上記従来例では、バラ収納部へ送ることとしたが、これは遊技店とその特殊景品買取り店舗とは接近している場合が多く、バラのまま（錠のかかるケースに入れないで）運搬しても安全であろうとの予測に基づいたためである。
ところが一部では遊技店からかなり離れた場所に特殊景品買取り店舗がある場合も見受けられ、特殊景品交換代金を錠のかかるケースに入れた状態で運ぶ必要性も生じてきた。あるいは、初めから密閉されたケースに収納しておけば、直接景品買い取り業者に現金を取りに来てもらうことも可能となる。さらには、特殊景品交換代金を帯封を付けた状態で渡せば、金額確認も容易となり作業がラクになる。
【特許文献１】特願２００２−２０９０３８明細書
【発明の開示】
【発明が解決しようとする課題】
【０００４】
本発明は上述のような遊技店での運用上の事情に鑑み為されたものであり、使途別の収納先を各遊技店における運用形態に応じて可変設定できるようにすることにより、柔軟性のある運用を可能とする売上金入金処理装置を提供することを目的としている。
【課題を解決するための手段】
【０００５】
本発明はパチンコ店等の遊技店の店舗内に設置される紙幣の売上金入金処理装置に関し、本発明の上記目的は、遊技店の店舗内に設置される売上金入金処理装置であって、該装置は、処理すべき紙幣を一括で受け入れる紙幣受入部と、該紙幣受入部に受け入れた紙幣を１枚ずつ繰り出して搬送する繰出搬送部と、該繰出搬送部の下流側に位置し、該繰出搬送部によって搬送される紙幣の金種を識別する金種識別部と、使途別の金額情報及び該使途別の収納先を入力及び記憶可能な金額情報入力部と、前記金種識別部の下流側に位置し、搬送される紙幣を使途別に仕分ける仕分部と、を備えるものであり、前記収納先は、結束された紙幣を収納する束収納部、バラの紙幣の収納／取り出しが可能なバラ紙幣収納部及び、その中にバラの紙幣が収納されるとともに該紙幣の取出し及び運搬はカセットごと行われる紙幣カセットとからなる３種類の収納部で構成されるとともに、前記紙幣受入部に受け入れた紙幣を前記金額情報入力部にて入力された前記使途別の金額情報に基づいて仕分け、予め使途別に割り当てられた各収納先に収納するように制御する制御部をさらに備えたことを特徴とする売上金入金処理装置によって達成される。
【０００６】
また、本発明の上記目的は、入力された操作者のＩＤから操作者の属性を判別するＩＤ認識部をさらに備え、該操作者の属性に応じて、前記各収納部からの紙幣の取出操作の可否が決められている前記売上金入金処理装置によって、より効果的に達成される。
【発明の効果】
【０００７】
本発明に係る売上金入金処理装置によれば、使途別の紙幣の収納先を操作者の属性に応じて可変可能であるので、導入する遊技店の特色に合わせて設定することができ、柔軟な運用が可能となる。
【発明を実施するための最良の形態】
【０００８】
本発明に係る売上金入金処理装置について、図面を参照しつつ説明する。
図１は、本発明の売上金入金処理装置の外観を示すものであり、同図中、１は紙幣受入部、２は金額情報入力部、２１はＩＤ認識部としてのカードリーダである。
図２は、上記売上金入金処理装置の内部を示す断面である。同図中、１は紙幣受入部、２は金額情報入力部（この金額情報入力部は、キー入力の態様だけでなく、外部からの通信入力、都度入力でない予め記憶されている値を呼び出しての参照入力等様々な態様が考えられる）、３は繰出搬送部、４は金種識別部、５は仕分部、６は結束部、７は結束部６で結束された束紙幣を収納する束収納部、８はバラ状態の紙幣を収納するバラ収納部、９はバラ状態で紙幣が収納されるとともに、該紙幣の取出し及び運搬はカセットごと行われる紙幣カセットである。１０は紙幣カセット９と接続される一時保留部である。２１はＩＤ認識部としてのカードリーダである。
【０００９】
図３は、前記売上金入金処理装置の制御系を示すブロック図である。制御部１１は、金種情報入力部２、金種識別部４、仕分部５、結束部６及びカードリーダ２１を所定の制御プログラムに従って制御するものである。また、制御部１１は、演算制御を行うＣＰＵ１１１と、前記制御プログラムが格納されているＲＯＭ１１２と作業メモリであるＲＡＭ１１３を含むものである。さらに、制御部１１には記憶部１２が接続されており、取り込んだ紙幣の金種、枚数、使途と収納部との対応等のデータを記憶するためのものである。
【００１０】
以上の構成において、本発明に係る売上金入金処理装置について表１を参照しつつ具体的に説明する。なお、前記売上金入金処理装置の基本的な動作については前記特許文献１に記載された通りであるので、共通する部分の説明は省略する。
【表１】
2005056056.tif 000003
表１は、売上金の使途と、それが収納される収納部との対応を一覧にしたものである。
「標準」パターンでは、両替準備金は束収納部に、特殊景品交換代金はバラ収納部に、粗利益は紙幣カセットに収納されるように設定されている。これは粗利益について警備会社への委託を行っている遊技場の場合である。
また、下段は前記各収納部から紙幣を取り出す権限を有する者を示しており、ＩＤ認識部で認識された操作者の属性がこの条件に合致しなければ、紙幣を取り出すことができないようになっている。
【００１１】
両替準備金は帯封処理されて束収納部に収納されるが、この取り出しは一般店員を含むすべての店員に許可されている。これは紙幣が所定枚数（例えば１００枚単位）ごとに束になっているため扱いやすく、経験の浅い一般店員でも間違えるおそれが少ないと考えられるからである。また、粗利益が収納される紙幣カセットは委託契約をしている警備会社の係員のみが取り出すことができるようになっている。こうすることにより責任分担を明確にすることができる。
【００１２】
なお、特殊景品交換代金はバラ収納部に収納されているが、金額も多く、また紙幣に直接手を触れることができることから、責任の重い主任クラス以上の店員のみが取り出せるように設定することが望ましいと考えられる。これらの取り出し許可設定は、使途別の収納先を設定するときに併せて設定され、例えば、「標準」パターンで売上金の入金処理が行われたときは、取り出し操作者がＩＤカードをカードリーダに読み込ませると、制御部１１は入力された属性を手がかりとして、前記許可設定を参照して、各収納部からの紙幣の取り出しの可否を決定するようになっている。
【００１３】
次に、設定パターンにおける「変形例１」の場合について説明する。これは、前記の「標準」パターンのように粗利益を警備会社に委託して金融機関に運ぶのではなく、遊技店の店員（主として主任クラス以上の店員を指す）自身で金融機関に運ぶ場合の例である。そうすると、粗利益を紙幣カセットに入れる必要がなくなるので、例えば、特殊景品交換代金を紙幣カセットに割り当てることが可能となる。この場合は、特殊景品買取り業者が直接紙幣カセットを取り出せるような設定にしておけば、景品買い取り業者が自己のＩＤを入力することにより、紙幣を取り出すことができる。一方、両替準備金については、帯封処理がされて扱い易いとの特質を生かすべく収納先を束収納部に割り当てる。この取り出しは上述と同じ理由により一般店員を含むすべての店員に許可される。この結果、必然的に、粗利益は手が触れることができるバラ収納部に収納されることになるが、金額も多く、また紙幣に直接手を触れることができることから、責任の重い主任クラス以上の店員のみが取り出せるように設定することが望ましいと考えられる。
【００１４】
次に、設定パターンにおける「変形例２」の場合について説明する。これは、前記の「標準」パターンのように粗利益を警備会社に委託して金融機関に運ぶのではなく、遊技店の店員、特に一般店員によって金融機関に運ぶ場合の例である。この場合、間違いを防ぐためにも紙幣に直接手をふれることのできない紙幣カセットに入れる必要があるので、粗利益の収納先を紙幣カセットに割り当てることが必要となる。また、特殊景品交換代金については金種ごとに帯封処理がされて枚数確認が容易である等の特質を生かすべく、収納先を束収納部に割り当てる。この取り出しは特殊景品買取り業者が直接取り出せるような設定にしておけば、景品買い取り業者が自己のＩＤを入力することにより、束収納部から紙幣を取り出すことができる。
【００１５】
また、景品買い取り業者が直接受け取りに来ない場合は、店員が取り出せるような設定にしておいてもよいが、金額も多く、また紙幣に直接手を触れることができることから、責任の重い主任クラス以上の店員のみが取り出せるように設定することが望ましい。この結果、必然的に、両替準備金は手が触れることができるバラ収納部に収納されることになるが、紙幣に直接手を触れることができることから、責任の重い主任クラス以上の店員のみが取り出せるように設定することが望ましいと考えられる。
なお、使途別の収納先の設定はその都度行ってもよいし、予め設定して記憶させていたものを選択して呼び出して実行させてもよい。
以上本発明に係る売上金入金処理装置の好ましい実施の形態について説明したが、本発明はこれらに限定されるものではなく、種々の変更が可能である。
【図面の簡単な説明】
【００１６】
【図１】本発明に係る売上金入金処理装置の外観を示す図である。
【図２】本発明に係る売上金入金処理装置の内部を示す断面である。
【図３】本発明に係る売上金入金処理装置の制御系を示すブロック図である。
【符号の説明】
【００１７】
１  紙幣受入部
２  金額情報入力部
３  繰出搬送部
４  金種識別部
５  仕分部
６  結束部
７  束収納部
８  バラ収納部
９  紙幣カセット
１０  一時保留部
１１  制御部
１２  記憶部
２１  カードリーダ（ＩＤ認識部）
【図１】
2005056056.tif 000004
【図２】
2005056056.tif 000005
【図３】
2005056056.tif 000006